(57)【要約】【課題】初心者でも容易に表示信号を作成し、発光表示装置に表示することが可能な画像表示プログラムの提供。【解決手段】発光ブロックがマトリックス状に配置された表示部と、表示信号を受信する受信部と、受信部により受信した表示信号に基づいて表示部の各発光ブロックの動作を制御する制御部とを備えた発光表示装置２に接続するコンピュータ１を、画面上に表示された画像の中から発光表示装置２により表示させる領域を指定する領域指定手段１１と、領域指定手段１１により指定された領域内の画像データを抽出する画像抽出手段１２と、画像抽出手段１２により抽出された画像データに基づく表示信号を発光表示装置２に送出する信号送出手段１５として機能させるための画像表示プログラムである。【選択図】　図１
2004144967.tif 000002
【特許請求の範囲】
【請求項１】
発光ブロックがマトリックス状に配置された表示部と、表示信号を受信する受信部と、同受信部により受信した表示信号に基づいて前記表示部の各発光ブロックの動作を制御する制御部とを備えた発光表示装置に接続するコンピュータを、画面上に表示された画像の中から前記発光表示装置により表示させる領域を指定する領域指定手段と、同領域指定手段により指定された領域内の画像データを抽出する画像抽出手段と、同画像抽出手段により抽出された画像データに基づく表示信号を前記発光表示装置に送出する信号送出手段として機能させるための画像表示プログラム。
【請求項２】
さらに前記コンピュータを、前記画像抽出手段により抽出された画像データを前記表示部の表示領域の大きさに応じて拡大または縮小するスケーリング手段として機能させることを特徴とする請求項１記載の画像表示プログラム。
【請求項３】
さらに前記コンピュータを、前記画像抽出手段により抽出された画像データのコントラストを調整するコントラスト調整手段として機能させることを特徴とする請求項１または２に記載の画像表示プログラム。
【発明の詳細な説明】
【０００１】
【発明の属する技術分野】
本発明は、たとえば屋外または屋内用のパネルディスプレイに利用される発光ダイオード（ＬＥＤ）等の発光体を利用した発光表示装置に画像を表示するための画像表示プログラムに関する。
【０００２】
【従来の技術】
赤（Ｒ）、緑（Ｇ）、青（Ｂ）のＬＥＤを利用した発光表示装置は、その表示形態から映像表示タイプとグラフィックス表示タイプに分類できる。映像表示タイプの場合、映像ソースとして、テレビ、ビデオデッキ、レーザーディスクプレイヤ、ビデオカメラ等のＮＴＳＣ方式の映像信号を使用することが多い（例えば特許文献１参照）。このタイプの表示データを作成するには、一般的に高価な編集機材を用いる。
【０００３】
一方、グラフィックス表示タイプでは、表示色が８色のマルチカラー表示のものがほとんどであるが、一部で各色２５６階調のフルカラー表示可能なものが存在する。図３にグラフィックス表示タイプの画像表示システムの構成例を示す。画像表示システムは、パーソナルコンピュータ１０と発光表示装置２で構成されており、パーソナルコンピュータ１０と発光表示装置２は表示信号８で接続される。発光表示装置２は、ＣＰＵボード３、コントローラ４、ＬＥＤモジュール５、筐体６および電源７により構成されている。
【０００４】
パーソナルコンピュータ１０は、発光表示装置２により表示する表示信号８を作成し、発光表示装置２へ送出する。発光表示装置２は、この表示信号８をＣＰＵボード３によって受信し、受信した表示信号８を表示データに分解し、コントローラ４へ送る。コントローラ４は、この表示データを、ＬＥＤモジュール５を動作させるための信号へ変換する。
【０００５】
図４はパーソナルコンピュータによる従来の表示信号８の作成手順を示している。
【０００６】
まず、イメージスキャナやデジタルカメラのデータを読み込むための画像読込用ソフトウェアを起動し（ステップＳ２０１）、読み込んだ画像データをモニター画面上へ表示して確認した後（ステップＳ２０２）、この読み込んだ画像データをファイルとしてパーソナルコンピュータ１０に保存する（ステップＳ２０３）。
【０００７】
次に、別の画像編集用ソフトウェアを起動して（ステップＳ２０４）、ステップＳ２０３で保存したファイルを読み込み、発光表示装置２へ表示させたい領域を選択する（ステップＳ２０５）。そして、発光表示装置２の表示領域に適したサイズにトリミングや縮小・拡大を行ってスケーリングを行い（ステップＳ２０６）、ファイルに保存する（ステップＳ２０７）。
【０００８】
さらに、別の表示装置用ソフトウェアを起動して（ステップＳ２０８）、表示させたい順序に応じてステップＳ２０７で保存したファイルの読み込みと登録を行う（ステップ２０９）。
【０００９】
【特許文献１】
特開平１１−３０９７１号公報（第３頁、第９図）
【００１０】
【発明が解決しようとする課題】
上記のように、従来、表示信号８の作成には、画像読込用ソフトウェア、画像編集用ソフトウェアおよび表示装置用ソフトウェアの三つの専用のソフトウェアを用いている。このように、複数のそれぞれ専用のソフトウェアを経由する場合、作業者の負担が非常に大きい。そのため、各ソフトウェアを熟知し、時間的余裕のある人以外は、この表示信号８の作成を専門家に依頼することが多い。専門家に依頼する場合、それ相応の費用が発生するため、表示内容の更新を行わずに常に同じ表示を行うことも少なくない。
【００１１】
そこで、本発明においては、初心者でも容易に表示信号を作成し、発光表示装置に表示することが可能な画像表示プログラムを提供することを目的とする。
【００１２】
【課題を解決するための手段】
上記課題を解決するため本発明の画像表示プログラムは、発光表示装置に接続するコンピュータを、画面上に表示された画像の中から発光表示装置により表示させる領域を指定する領域指定手段と、領域指定手段により指定された領域内の画像データを抽出する画像抽出手段と、画像抽出手段により抽出された画像データに基づく表示信号を発光表示装置に送出する信号送出手段として機能させるように構成したものである。
【００１３】
本発明によれば、初心者でも容易に表示信号を作成し、発光表示装置に表示することが可能となる。
【００１４】
【発明の実施の形態】
請求項１に記載の発明は、発光ブロックがマトリックス状に配置された表示部と、表示信号を受信する受信部と、同受信部により受信した表示信号に基づいて前記表示部の各発光ブロックの動作を制御する制御部とを備えた発光表示装置に接続するコンピュータを、画面上に表示された画像の中から前記発光表示装置により表示させる領域を指定する領域指定手段と、同領域指定手段により指定された領域内の画像データを抽出する画像抽出手段と、同画像抽出手段により抽出された画像データに基づく表示信号を前記発光表示装置に送出する信号送出手段として機能させるための画像表示プログラムであり、画面上に表示された画像の中から発光表示装置に表示させたい領域を指定すれば、この指定に基づいて自動的に画像データが抽出され、表示信号として発光表示装置へ送出され、発光表示装置により表示されるという作用を有する。
【００１５】
請求項２に記載の発明は、さらに前記コンピュータを、前記画像抽出手段により抽出された画像データを前記表示部の表示領域の大きさに応じて拡大または縮小するスケーリング手段として機能させることを特徴とする請求項１記載の画像表示プログラムであり、画面上に表示された画像の中から指定された領域の画像データが、発光表示装置の表示領域の大きさに応じて自動的に拡大または縮小され、表示信号として発光表示装置へ送出され、発光表示装置により表示されるという作用を有する。
【００１６】
請求項３に記載の発明は、さらに前記コンピュータを、前記画像抽出手段により抽出された画像データのコントラストを調整するコントラスト調整手段として機能させることを特徴とする請求項１または２に記載の画像表示プログラムであり、画面上に表示された画像の中から指定された領域の画像データのコントラストが、その指定された領域の大きさに応じて自動的に調整され、表示信号として発光表示装置へ送出され、発光表示装置により表示されるという作用を有する。
【００１７】
以下、本発明の実施の形態について、図１から図３を参照して説明する。
【００１８】
図１は本発明の実施の形態における画像表示システムの機能ブロック図である。図１において、パーソナルコンピュータ１は、本実施形態における画像表示プログラムの実行により、画面上に表示された画像の中から表示領域を指定する領域指定手段１１と、指定された領域内の画像データを抽出する画像抽出手段１２と、抽出された画像データを必要に応じて拡大または縮小するスケーリング手段１３と、抽出された画像データのコントラストを調整するコントラスト調整手段１４と、抽出された画像データに基づく表示信号を送出する信号送出手段１５として機能する。
【００１９】
発光表示装置２は、すでに説明した図３と同様の構成であり、１色以上のＬＥＤからなる発光ブロックとしてのＬＥＤモジュール５がマトリックス状に配置された表示部と、パーソナルコンピュータ１からの表示信号８を受信する受信部ととしてのＣＰＵボード３と、ＣＰＵボード３により受信した表示信号８に基づいて表示部の各ＬＥＤモジュール５の動作を制御する制御部としてのコントローラ４と、筐体６と、電源７とを備える。
【００２０】
本実施形態における画像表示プログラムは、パーソナルコンピュータ１上で動作中の他のプログラム、例えば画像表示プログラムやブラウザ等のソフトウェアの裏のタスク（バックグラウンド）で動作するものである。領域指定手段１１は、これらのパーソナルコンピュータ１上で動作する他のプログラムやＯＳ（オペレーティングシステム）により画面上に表示された画像の中から、利用者に任意の領域を指定させるものである。
【００２１】
画像抽出手段１２は、領域指定手段１１によって指定された領域内の画像データを、ＯＳに要求し、そのデータを作業領域に格納する。このとき、画面全体の画像データも作業領域に格納する。
【００２２】
スケーリング手段１３は、画像抽出手段１２により抽出された画像データを、予め保持した発光表示装置２の表示部の大きさに関する情報に基づいて拡大または縮小する手段である。具体的には、抽出された画像データが発光表示装置２の表示部よりも大きい場合、画像データの間引きと補間により表示部に表示可能なサイズとなるように演算を行う。抽出された画像データが発光表示装置２の表示部よりも小さい場合、全画面のデータを表示機サイズになるように間引きまたは補間する。ここで選択領域のデータを拡大しないのは、拡大するよりも原画の情報から縮小した方が一般的に情報量の欠落が少ないためである。すなわち、より鮮明な画像が期待できるからである。
【００２３】
コントラスト調整手段１４は、画像データに対してコントラスト調整を行う手段である。一般的に、全体で画像の露出が適切になっていても、ある特定の部分を抽出した画像は露出が乱れている。すなわち、部分的に抽出した画像は、極端に暗かったり、明るかったりして露出のバランスが適切でない。コントラスト調整手段１４は、この部分的に抽出した画像データの最大値と最小値とを検出して、発光表示装置２で表示可能な最大値と最小値とに基づいて露出の演算を行う。
【００２４】
信号送出手段１５は、画像抽出手段１２により抽出された画像データに基づいて表示信号８を生成する。このとき、信号送出手段１５は、画像抽出手段１２により抽出された画像データを、予め保持した発光表示装置２の表示部の表示領域の大きさに関する情報に基づいて表示部の表示領域の大きさに応じて拡大または縮小し、さらにコントラストを調整して表示信号８を生成する。生成した表示信号８は、信号送出手段１５により発光表示装置２へ送出される。
【００２５】
上記構成の画像表示プログラムによるパーソナルコンピュータ１の動作について、図２のフロー図に基づいて説明する。
【００２６】
まず、本実施形態における画像表示プログラムをパーソナルコンピュータ１上で実行する（ステップＳ１０１）。このプログラムは、裏のタスクで動作するため、他の画像表示プログラム等の一般の市販ソフトウェアのように起動画面は現れない。
【００２７】
次に、デジタルカメラの画像を発光表示装置２へ表示したい場合、デジタルカメラのデータを読み込むための画像読込用ソフトウェアを起動し（ステップＳ１０２）、読み込んだ画像データをパーソナルコンピュータ１のモニター画面上へ表示する（ステップＳ１０３）。
【００２８】
該当画面が現れたら、発光表示装置２へ表示したい任意領域を領域指定手段１１により指定することで選択する（ステップＳ１０４）。選択された領域の画像データは画像抽出手段１２により抽出される。
【００２９】
スケーリング手段１３は、画像抽出手段１２により抽出された画像データを、予め保持している発光表示装置２の表示部の大きさに関する情報と比較し、発光表示装置２の大きさに応じて拡大または縮小する（ステップＳ１０５）。
【００３０】
さらに、この画像データは、コントラスト調整手段１４によってコントラスト調整が行われ（ステップＳ１０６）、信号送出手段１５により表示信号８として発光表示装置２へ送出される。発光表示装置２では、この送出された表示信号８をＣＰＵボード３によって受信し、この受信した表示信号８に基づいてコントローラ４による各ＬＥＤモジュール５の制御が行われることにより、表示部へ画像が表示される。
【００３１】
なお、本実施形態においては、デジタルカメラの画像を発光表示装置２で表示したい場合について説明したが、デジタルカメラではなく例えばインターネットのホームページの画像を発光表示装置２に表示したい場合には、ブラウザを起動して該当のホームページにアクセスし、パーソナルコンピュータ１のブラウザ画面上に表示された画像を領域指定手段１１により指定すればよい。いずれにしても、パーソナルコンピュータ１の画面に画像やイメージを表示できれば、どのようなソフトウェアによって表示された画像でも発光表示装置２に表示することが可能である。
【００３２】
したがって、本実施形態における画像表示プログラムによれば、他のソフトウェアによってパーソナルコンピュータ１のモニター画面に表示できればよいので、インターネット画像、デジタルカメラの画像、イメージスキャナの画像、ＣＡＤやＣＧ画像、ビデオキャプチャ画像、その他の画像ファイル等、発光表示装置２に表示可能なデータのソースは無限に広くなる。また、表示信号の作成も領域指定手段１１による領域の指定のみでよいため、非常に簡単であり初心者でも容易に行える。
【００３３】
【発明の効果】
本発明により、以下の効果を奏することができる。
【００３４】
（１）発光表示装置に接続するコンピュータを、画面上に表示された画像の中から前記発光表示装置により表示させる領域を指定する領域指定手段と、同領域指定手段により指定された領域内の画像データを抽出する画像抽出手段と、同画像抽出手段により抽出された画像データに基づく表示信号を前記発光表示装置に送出する信号送出手段として機能させる構成により、画面上に表示された画像の中から発光表示装置に表示させたい領域を指定するだけで、この指定に基づいて表示信号が自動的に生成されるため、初心者でも容易に表示信号を作成し、発光表示装置に表示することが可能である。すなわち、初心者でも自身で表示信号を作成することができるため、費用の発生がほとんどなく、発光表示装置に表示する内容を簡単に変更することが可能である。また、他のソフトウェアによってコンピュータのモニター画面に表示できればよいので、インターネット画像、デジタルカメラの画像、イメージスキャナの画像、ＣＡＤやＣＧ画像、ビデオキャプチャ画像、その他の画像ファイル等、発光表示装置に表示可能なデータのソースが無限に広くなる。
【００３５】
（２）画像データを表示部の表示領域の大きさに応じて自動的に拡大または縮小する構成によって、指定した領域と発光表示装置の表示部との大きさが異なっても自動的に大きさを調整して発光表示装置に表示することができる。
【００３６】
（３）画像データのコントラストを自動的に調整する構成によって、全体で適切な露出の画像から抽出した画像でも、露出が乱れることなく発光表示装置に表示することが可能となる。
【図面の簡単な説明】
【図１】本発明の実施の形態における画像表示システムの機能ブロック図
【図２】本実施形態における画像表示プログラムの動作フロー図
【図３】画像表示システムの構成例を示す図
【図４】従来のパーソナルコンピュータによる表示信号の作成手順を示すフロー図
【符号の説明】
１　パーソナルコンピュータ
２　発光表示装置
３　ＣＰＵボード
４　コントローラ
５　ＬＥＤモジュール
６　筐体
７　電源
８　表示信号
【図１】
2004144967.tif 000003
【図２】
2004144967.tif 000004
【図３】
2004144967.tif 000005
【図４】
2004144967.tif 000006